(57)【要約】【課題】移動体の各部の移動状態を制御する操作装置を用いて、楽曲の再生状態を制御すること。【解決手段】停止判断部１０２によって移動体が停止中であると判断された場合、検出部１０３によって、移動体の各部の移動状態を制御する操作装置１１０による操作状態を検出する。そして、操作状態判断部１０４によって、検出された操作状態が所定の状態であると判断された場合、再生制御部１０６によってコンテンツの再生状態を制御する。【選択図】図１
2008230429.tif 000002
【特許請求の範囲】
【請求項１】
移動体の各部の移動状態を制御する操作装置を有した当該移動体に備えられ、コンテンツを再生する再生制御装置において、
前記移動体が停止中か否かを判断する停止判断手段と、
前記操作装置による操作状態を検出する検出手段と、
前記移動体が停止中であると判断された場合、前記検出手段によって検出された前記操作装置による操作状態に基づいて、前記コンテンツの再生状態を制御する再生制御手段と、
を備えることを特徴とする再生制御装置。
【請求項２】
前記検出手段によって検出された前記操作装置による操作状態が所定の状態であるか否かを判断する操作状態判断手段を備え、
前記再生制御手段は、前記操作状態判断手段によって所定の状態であると判断された場合、前記コンテンツの再生状態を制御することを特徴とする請求項１に記載の再生制御装置。
【請求項３】
前記検出手段は、前記操作装置による操作方向を検出し、
前記再生制御手段は、前記検出手段によって検出された前記操作装置による操作方向に基づいて、前記コンテンツの再生状態を制御することを特徴とする請求項１または２に記載の再生制御装置。
【請求項４】
前記検出手段は、前記操作装置による操作状態の時間毎の変化量を検出し、
前記再生制御手段は、前記検出手段によって検出された前記操作装置による操作状態の時間毎の変化量に基づいて、前記コンテンツの再生状態を制御することを特徴とする請求項１〜３のいずれか一つに記載の再生制御装置。
【請求項５】
前記再生制御手段は、前記検出手段によって検出された前記操作装置の操作状態の時間毎の変化量に応じて、前記コンテンツの再生速度を制御することを特徴とする請求項４に記載の再生制御装置。
【請求項６】
前記検出手段によって検出された前記操作装置による操作状態に基づいて、複数のスクラッチ音パターンの中から一のスクラッチ音パターンを選択する選択手段を備え、
前記再生制御手段は、前記選択手段によって一のスクラッチ音パターンが選択された場合、当該一のスクラッチ音パターンを再生することを特徴とする請求項１〜５のいずれか一つに記載の再生制御装置。
【請求項７】
前記停止判断手段は、前記移動体のパーキングブレーキが使用中か否かを判断し、
前記検出手段は、前記停止判断手段によって前記パーキングブレーキが使用中と判断された場合、前記操作装置による操作状態を検出することを特徴とする請求項１〜６のいずれか一つに記載の再生制御装置。
【請求項８】
前記操作装置は、前記移動体に備えられたステアリングハンドルであることを特徴とする請求項１〜７のいずれか一つに記載の再生制御装置。
【請求項９】
前記検出手段は、前記ステアリングハンドルの回転状態を検出し、
前記再生制御手段は、前記検出手段によって検出された前記ステアリングハンドルの回転状態に基づいて、前記コンテンツの再生状態を制御することを特徴とする請求項８に記載の再生制御装置。
【請求項１０】
移動体の各部の移動状態を制御する操作装置を有した当該移動体に備えられた再生制御装置において、コンテンツを再生する再生制御方法において、
前記移動体が停止中か否かを判断する停止判断工程と、
前記操作装置による操作状態を検出する検出工程と、
前記移動体が停止中であると判断された場合、前記検出工程によって検出された前記操作装置による操作状態に基づいて、前記コンテンツの再生状態を制御する再生制御工程と、
を含むことを特徴とする再生制御方法。
【請求項１１】
請求項１０に記載の再生制御方法をコンピュータに実行させることを特徴とする再生制御プログラム。
【請求項１２】
請求項１１に記載の再生制御プログラムを記録したことを特徴とするコンピュータに読み取り可能な記録媒体。
【発明の詳細な説明】
【技術分野】
【０００１】
この発明は、移動体の各部の移動状態を制御する操作装置を用いてコンテンツの再生制御をおこなう再生制御装置、再生制御方法、再生制御プログラムおよび記録媒体に関する。ただし、この発明の利用は、上述した再生制御装置、再生制御方法、再生制御プログラムおよび記録媒体には限られない。
【背景技術】
【０００２】
従来、ターンテーブルなどの回転操作子の回転速度に応じて、楽曲の演奏テンポや、演奏されるパート数の増減制御などによって、楽曲の再生を制御する装置が提案されている。このような装置の中には、回転操作子の回転操作に応じて、楽曲のピッチとテンポの両方を制御することで、実際のレコードのターンテーブルと類似した楽曲の変化を得ることができる装置がある（たとえば、下記特許文献１参照。）。
【０００３】
また、車両に備えられ、走行音などの外部状況を認識すると、この認識した走行音に関する外部リズム情報を生成し、楽曲のリズムを走行音に応じたリズムに設定して再生する装置がある（たとえば、下記特許文献２参照。）。
【０００４】
【特許文献１】特開２００５−１０８１５号公報
【特許文献２】特開２００５−２１９６３１号公報
【発明の開示】
【発明が解決しようとする課題】
【０００５】
しかしながら、上述の特許文献１または２の技術では、車両に備えられた楽曲再生装置において、外部状況によって楽曲のリズムを変更することはできるが、たとえば、利用者の操作によって楽曲のピッチとテンポの両方を制御するためには、専用の回転操作子がなければおこなうことができないといった問題が一例として挙げられる。
【課題を解決するための手段】
【０００６】
上述した課題を解決し、目的を達成するため、請求項１の発明にかかる再生制御装置は、移動体の各部の移動状態を制御する操作装置を有した当該移動体に備えられ、コンテンツを再生する再生制御装置において、前記移動体が停止中か否かを判断する停止判断手段と、前記操作装置による操作状態を検出する検出手段と、前記移動体が停止中であると判断された場合、前記検出手段によって検出された前記操作装置による操作状態に基づいて、前記コンテンツの再生状態を制御する再生制御手段と、を備えることを特徴とする。
【０００７】
また、請求項１０の発明にかかる再生制御方法は、移動体の各部の移動状態を制御する操作装置を有した当該移動体に備えられた再生制御装置において、コンテンツを再生する再生制御方法において、前記移動体が停止中か否かを判断する停止判断工程と、前記操作装置による操作状態を検出する検出工程と、前記移動体が停止中であると判断された場合、前記検出工程によって検出された前記操作装置による操作状態に基づいて、前記コンテンツの再生状態を制御する再生制御工程と、を含むことを特徴とする。
【０００８】
また、請求項１１の発明にかかる再生制御プログラムは、請求項１０に記載の再生制御方法をコンピュータに実行させることを特徴とする。
【０００９】
また、請求項１２の発明にかかる記録媒体は、請求項１１に記載の再生制御プログラムをコンピュータに読み取り可能な状態で記録したことを特徴とする。
【発明を実施するための最良の形態】
【００１０】
以下に添付図面を参照して、この発明にかかる再生制御装置、再生制御方法、再生制御プログラムおよび記録媒体の好適な実施の形態を詳細に説明する。
【００１１】
（実施の形態）
（再生制御装置の機能的構成）
まず、この発明の実施の形態にかかる再生制御装置１００の機能的構成について説明する。図１は、本実施の形態にかかる再生制御装置の機能的構成を示すブロック図である。
【００１２】
図１において、再生制御装置１００は、再生部１０１と、停止判断部１０２と、検出部１０３と、操作状態判断部１０４と、選択部１０５と、再生制御部１０６と、を備えている。また、再生制御装置１００は、移動体の各部の移動状態を制御する操作装置１１０を有した移動体に備えられ、コンテンツを再生する。操作装置は、具体的には、車両に備えられたステアリングハンドル、アクセル／ブレーキペダル、窓の開閉スイッチ、ドアの開閉装置などである。再生部１０１は、コンテンツを表示する表示画面や音声を出力するスピーカを備えている。ここで、コンテンツは、楽曲情報、映像情報、画像情報などである。
【００１３】
停止判断部１０２は、移動体が停止中か否かを判断する。具体的には、たとえば、移動体のパーキングブレーキが使用中か否かを判断する。そして、移動体のパーキングブレーキが使用中の場合、移動体が停止中であるとする。
【００１４】
検出部１０３は、停止判断部１０２によって移動体が停止中であると判断された場合、操作装置１１０による操作状態を検出する。たとえば、検出部１０３は、操作装置１１０による操作方向を検出する。また、検出部１０３は、操作装置１１０による操作状態の時間毎の変化量を検出する。具体的には、検出部１０３は、ステアリングハンドルの回転状態を検出する。
【００１５】
操作状態判断部１０４は、検出部１０３によって検出された操作装置１１０による操作状態が所定の状態であるか否かを判断する。操作状態判断部１０４は、たとえば、操作角度、操作方向、操作状態の時間毎の変化量、操作速度などが、所定の値であるか否かを判断する。
【００１６】
選択部１０５は、検出部１０３によって検出された操作装置１１０による操作状態に基づいて、図示しない記録部などに記録された複数のスクラッチ音パターンの中から一のスクラッチ音パターンを選択する。ここで、スクラッチ音パターンは、リズムパターンに関する情報であり、再生されている楽曲を、選択されたリズムパターンに変更させて出力されるようにしてもよい。また、スクラッチ音パターンは、それ自体が音源を含んだ情報であり、再生されている楽曲に関わらず、選択されたスクラッチ音パターンが出力されるようにしてもよい。
【００１７】
再生制御部１０６は、検出部１０３によって検出された操作装置１１０による操作状態に基づいて、コンテンツの再生状態を制御する。たとえば、再生制御部１０６は、操作状態判断部１０４によって所定の状態であると判断された場合、コンテンツの再生状態を制御する。また、再生制御部１０６は、検出部１０３によって検出された操作装置１１０による操作方向に基づいて、コンテンツの再生状態を制御する。さらに、再生制御部１０６は、検出部１０３によって検出された操作装置１１０による操作状態の時間毎の変化量に基づいて、コンテンツの再生状態を制御する。
【００１８】
再生制御部１０６は、検出部１０３によって検出された操作装置１１０の操作状態の時間毎の変化量に応じて、コンテンツの再生速度を制御してもよい。また、再生制御部１０６は、選択部１０５によって一のスクラッチ音パターンが選択された場合、選択された一のスクラッチ音パターンを再生するように制御してもよい。具体的には、再生制御部１０６は、検出部１０３によって検出されたステアリングハンドルの回転状態に基づいて、コンテンツの再生状態を制御する。
【００１９】
（再生制御装置１００の再生制御処理手順）
つぎに、本実施の形態にかかる再生制御装置１００の再生制御処理手順について説明する。図２は、本実施の形態にかかる再生制御装置１００の再生制御処理手順を示すフローチャートである。図２のフローチャートにおいて、まず、停止判断部１０２によって移動体が停止中であると判断されるまで待って（ステップＳ２０１：Ｎｏのループ）、移動体が停止中であると判断された場合（ステップＳ２０１：Ｙｅｓ）、検出部１０３によって操作装置１１０による操作状態を検出する（ステップＳ２０２）。
【００２０】
つぎに、操作状態判断部１０４によって、ステップＳ２０２において検出された操作状態が所定の状態になるまで待って（ステップＳ２０３：Ｎｏのループ）、操作状態が所定の状態になった場合（ステップＳ２０３：Ｙｅｓ）、再生制御部１０６によってコンテンツの再生状態を制御して（ステップＳ２０４）、一連の処理を終了する。
【００２１】
なお、図２のフローチャートにおいては、ステップＳ２０３において、たとえば、操作方向や、操作状態の時間毎の変化量などに基づいて、所定の状態になったか否かを判断してもよい。具体的には、たとえば、車両に備えられたステアリングハンドルの回転角度、回転方向、回転速度などに基づいて、所定の状態になったか否かを判断する。
【００２２】
また、図２のフローチャートにおいては、ステップＳ２０４においてコンテンツの再生状態を制御するとしているが、これに限るものではない。たとえば、図示しない記録部などに記録された複数のスクラッチ音パターンの中から一のスクラッチ音パターンを選択し、この一のスクラッチ音パターンを再生するように制御してもよい。
【００２３】
上述したように、本実施の形態にかかる再生制御装置１００は、停止判断部１０２によって移動体が停止中であると判断された場合、検出部１０３によって操作装置１１０による操作状態を検出し、検出された操作装置１１０による操作状態に基づいて、再生制御部１０６によってコンテンツの再生状態を制御する。したがって、移動体が停止中の場合は、移動体の各部の移動状態を制御する操作装置１１０によって、楽曲の再生状態が制御される。これによって、利用者は、専用の操作子を持ち運ぶ手間がなくなり、また、専用の操作子を設置するスペースを必要とせずに、車両内の各部を制御する操作装置１１０によって、楽曲の演出操作を楽しむことができる。
【００２４】
また、本実施の形態にかかる再生制御装置１００は、操作状態判断部１０４によって操作装置１１０による操作状態が所定の状態であると判断された場合、再生制御部１０６によってコンテンツの再生状態を制御する。したがって、操作装置１１０による操作状態が所定の状態になるまで、楽曲の再生状態を制御しないことができる。これによって、利用者は、誤って操作装置１１０を動かした場合、楽曲の演出操作をおこなわせないため、快適に楽曲の再生を楽しむことができる。
【００２５】
また、本実施の形態にかかる再生制御装置１００は、検出部１０３によって検出された操作装置１１０による操作方向に基づいて、再生制御部１０６によってコンテンツの再生状態を制御する。したがって、操作装置１１０による操作方向に基づいて、コンテンツの再生状態に異なる制御をおこなうことができる。これによって、利用者は、変化に富んだ楽曲の演出操作を楽しむことができる。
【００２６】
また、本実施の形態にかかる再生制御装置１００は、検出部１０３によって検出された操作装置１１０による操作状態の時間毎の変化量に基づいて、再生制御部１０６によってコンテンツの再生状態を制御する。したがって、操作装置１１０による操作状態の時間毎の変化量に基づいて、コンテンツの再生状態に異なる制御をおこなうことができる。これによって、利用者は、変化に富んだ楽曲の演出操作を楽しむことができる。
【００２７】
また、本実施の形態にかかる再生制御装置１００は、検出部１０３によって検出された操作装置１１０の操作状態の時間毎の変化量に応じて、再生制御部１０６によってコンテンツの再生速度を制御する。したがって、操作装置１１０の操作状態の時間毎の変化量に応じて、コンテンツのピッチとテンポとを変更することができる。これによって、利用者は、変化に富んだ楽曲の演出操作を楽しむことができる。
【００２８】
また、本実施の形態にかかる再生制御装置１００は、選択部１０５によって複数のスクラッチ音パターンの中から一のスクラッチ音パターンが選択された場合、再生制御部１０６によって一のスクラッチ音パターンを再生する。したがって、複数種類のスクラッチ音パターンの中から、操作装置１１０の操作状態に応じたスクラッチ音パターンを再生することができる。これによって、利用者は、変化に富んだ楽曲の演出操作を楽しむことができる。
【００２９】
また、本実施の形態にかかる再生制御装置１００は、停止判断部１０２によってパーキングブレーキが使用中と判断された場合、検出部１０３によって操作装置１１０による操作状態を検出する。したがって、確実に移動体が停止し、移動体の各部の移動状態を制御する操作装置１１０が、移動体の移動動作に影響を与えない場合のみ、コンテンツの再生状態を制御することができる。これによって、利用者は、楽曲の演出操作をおこなおうとして、誤って移動体を移動させることを防ぎ、安全性を確保することができる。
【００３０】
また、本実施の形態にかかる再生制御装置１００は、検出部１０３によって検出されたステアリングハンドルの回転状態に基づいて、再生制御部１０６によってコンテンツの再生状態を制御する。これによって、利用者は、専用の回転操作子を用いずに、ターンテーブルに類似した操作で楽曲の演出操作をおこなうことができる。
【実施例】
【００３１】
以下に、本発明の実施例について説明する。本実施例では、たとえば、車両（四輪車、二輪車を含む）などの移動体に搭載される楽曲再生装置によって、本発明の再生制御装置１００を実施した場合の一例について説明する。また、本実施例においては、コンテンツを楽曲に限定して説明するが、画像や映像でもよい。さらに、本実施例においては、移動体の各部の移動状態を制御する操作装置として、ステアリングハンドルについて説明するが、移動体の各部の移動状態を制御する操作装置であれば、他の装置でもよい。
【００３２】
（車両の各部の移動状態を制御する操作装置について）
まず、車両の各部の移動状態を制御する操作装置について説明する。図３は、車両の各部の移動状態を制御する操作装置について示す説明図である。図３においては、車両には、本実施例にかかる楽曲再生装置３００が備えられている。また、車両の各部の移動状態を制御する操作装置として、たとえば、ステアリングハンドル３０１と、アクセルペダル３０２と、ブレーキペダル３０３と、窓の開閉スイッチ３０４と、ドアの開閉装置３０５と、が示されている。スピーカ３０６は、楽曲再生装置３００によって再生制御された楽曲が出力される。また、パーキングブレーキ３０７が使用中の場合、車両が停車していると判断される。
【００３３】
本実施例においては、車両の各部の移動状態を制御する操作装置は、パーキングブレーキ３０７が使用中ではない場合、車両もしくは車両内部の各部の移動状態を制御する。そして、パーキングブレーキ３０７が使用中の場合、楽曲再生装置３００における楽曲の再生を制御する。したがって、車両に備えられた楽曲再生装置３００における楽曲の再生を制御するために、新たな装置を備えなくとも、あらかじめ車両に備えられた装置を用いることができる。
【００３４】
（楽曲再生装置のハードウェア構成）
つぎに、本実施例にかかる楽曲再生装置３００のハードウェア構成について説明する。図４は、本実施例にかかる楽曲再生装置のハードウェア構成を示すブロック図である。図４において、楽曲再生装置３００は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、マイク４０９と、スピーカ４１０と、入力デバイス４１１と、映像Ｉ／Ｆ４１２と、ディスプレイ４１３と、通信Ｉ／Ｆ４１４と、各種センサ４１５と、を備えている。各構成部４０１〜４１５は、バス４２０によってそれぞれ接続されている。
【００３５】
まず、ＣＰＵ４０１は、楽曲再生装置３００の全体の制御を司る。ＲＯＭ４０２は、ブートプログラム、データ更新プログラム、楽曲再生制御プログラム、などのプログラムを記録している。また、ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、楽曲再生装置３００の全体の制御を司る。
【００３６】
楽曲再生制御プログラムは、楽曲の再生状態を制御させる。具体的には、たとえば、後述する各種センサ４１５から出力された検出結果に応じて、楽曲の再生状態を制御する。たとえば、ステアリングハンドル３０１の回転状態に応じて、楽曲の再生速度、スクラッチ音パターンの再生をおこなう。
【００３７】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００３８】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータが読み出される着脱自在な記録媒体である。光ディスク４０７は、書き込み可能な記録媒体を利用することもできる。着脱可能な記録媒体として、光ディスク４０７のほか、ＭＯ、メモリカードなどであってもよい。
【００３９】
磁気ディスク４０５および光ディスク４０７に記録される情報の一例としては、楽曲情報や楽曲リストが挙げられる。楽曲情報は、たとえば、楽曲を特定する特定情報が含まれる。特定情報は、具体的には、たとえば、楽曲のタイトル名称や著作者名などのメタデ−タ、著作権ナンバーなどの楽曲ＩＤ（ＩＤｅｎｔｉｆｉｅｒ）、各サービスにおける識別ナンバーであってもよい。また、楽曲の特徴量や楽曲一部を含む情報であってもよい。楽曲の特徴量や一部を含むことで、同一の楽曲であっても録音環境などのバージョンの違いがある場合に容易に特定することができる。また、楽曲リストは、楽曲情報の一覧であり、任意に設定可能であるとする。したがって、楽曲の再生は、１曲毎に再生されてもよいし、楽曲リストに設定された複数の楽曲を順に再生してもよい。
【００４０】
また、磁気ディスク４０５および光ディスク４０７に記録される情報の他の一例としては、スクラッチ音パターンが挙げられる。磁気ディスク４０５および光ディスク４０７には、複数のスクラッチ音パターンが記録され、楽曲再生制御プログラムによって一つのスクラッチ音パターンが選択される。スクラッチ音パターンは、音色、音高、音長、テンポなどを指定する情報であり、再生されている楽曲をスクラッチ音パターンに応じて変更して再生する。また、スクラッチ音パターン自体に音源が含まれており、再生されている楽曲を一時停止して、スクラッチ音パターンを再生してもよい。
【００４１】
音声Ｉ／Ｆ４０８は、音声入力用のマイク４０９および音声出力用のスピーカ４１０に接続される。マイク４０９に受音された音声は、音声Ｉ／Ｆ４０８内でＡ／Ｄ変換される。マイク４０９は、たとえば、車両のサンバイザー付近に設置され、その数は単数でも複数でもよい。スピーカ４１０からは、所定の音声信号を音声Ｉ／Ｆ４０８内でＤ／Ａ変換した音声が出力される。ここで、スピーカ４１０は、図３に示したスピーカ３０６と同体でもよい。なお、マイク４０９から入力された音声は、音声データとして磁気ディスク４０５あるいは光ディスク４０７に記録可能である。また、たとえば、マイク４０９から入力された音声を再生されている楽曲と併せて出力してもよい。また、たとえば、マイク４０９から入力された音声などをサンプリング音源として、磁気ディスク４０５や光ディスク４０７などの記録媒体に出力してもよい。これによって、マイクから入力された音源を、スクラッチ音パターンとして用いることができる。
【００４２】
入力デバイス４１１は、文字、数値、各種指示などの入力のための複数のキーを備えたリモコン、キーボード、タッチパネルなどが挙げられる。入力デバイス４１１は、リモコン、キーボード、タッチパネルのうちいずれか一つの形態によって実現されてもよいが、複数の形態によって実現することも可能である。
【００４３】
映像Ｉ／Ｆ４１２は、ディスプレイ４１３に接続される。映像Ｉ／Ｆ４１２は、具体的には、たとえば、ディスプレイ４１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ４１３を制御する制御ＩＣなどによって構成される。
【００４４】
ディスプレイ４１３には、アイコン、カーソル、メニュー、ウインドウ、あるいは文字や画像などの各種データが表示される。ディスプレイ４１３には、上述した地図データが、２次元または３次元に描画される。ディスプレイ４１３に表示された地図データには、楽曲再生装置３００を搭載した車両の現在位置をあらわすマークなどを重ねて表示することができる。車両の現在位置は、ＣＰＵ４０１によって算出される。
【００４５】
ディスプレイ４１３としては、たとえば、ＣＲＴ、ＴＦＴ液晶ディスプレイ、プラズマディスプレイなどを用いることができる。ディスプレイ４１３は、たとえば、車両のダッシュボード付近に設置される。ディスプレイ４１３は、車両のダッシュボード付近のほか、車両の後部座席周辺などに設置するなどして、車両において複数設置されていてもよい。
【００４６】
通信Ｉ／Ｆ４１４は、無線を介してネットワークに接続され、楽曲再生装置３００とＣＰＵ４０１とのインターフェースとして機能する。通信Ｉ／Ｆ４１４は、さらに、無線を介してインターネットなどの通信網に接続され、この通信網とＣＰＵ４０１とのインターフェースとしても機能する。
【００４７】
通信網には、ＬＡＮ、ＷＡＮ、公衆回線網や携帯電話網などがある。具体的には、通信Ｉ／Ｆ４１４は、たとえば、ＦＭチューナーなどによって構成される。
【００４８】
各種センサ４１５は、車速センサ、加速度センサ、角速度センサなどの、車両の位置や挙動を判断するための情報を出力する。各種センサ４１５の出力値は、ＣＰＵ４０１による車両の現在位置の算出や、速度や方位の変化量の算出に用いられる。また各種センサ４１５は、回転センサなどによってステアリングハンドル３０１の回転状態を検出してもよい。さらに、各種センサ４１５は、アクセルペダル３０２やブレーキペダル３０３の操作状態、窓の開閉スイッチ３０４の操作状態、ドアの開閉装置３０５の操作状態を検出してもよい。また、パーキングブレーキ３０７が使用中か否かを検出してもよい。
【００４９】
図１に示した再生制御装置１００が備える再生部１０１、停止判断部１０２、検出部１０３、操作状態判断部１０４、選択部１０５、再生制御部１０６は、図４に示した楽曲再生装置３００におけるＲＯＭ４０２、ＲＡＭ４０３、磁気ディスク４０５、光ディスク４０７などに記録されたプログラムやデータを用いて、ＣＰＵ４０１が所定のプログラムを実行し、楽曲再生装置３００における各部を制御することによってその機能を実現する。
【００５０】
すなわち、実施例の楽曲再生装置３００は、楽曲再生装置３００における記録媒体としてのＲＯＭ４０２に記録されている再生制御プログラムを実行することにより、図１に示した再生制御装置１００が備える機能を、図２に示した再生制御処理手順で実行することができる。
【００５１】
（楽曲再生装置３００の処理の内容）
つぎに、本実施例にかかる楽曲再生装置３００の処理の内容について説明する。図５は、本実施例にかかる楽曲再生装置の処理の内容を示すフローチャートである。図５のフローチャートにおいて、まず、ステアリングハンドル３０１の操舵角の初期値を取得する（ステップＳ５０１）。そして、利用者の操作によって楽曲を再生する（ステップＳ５０２）。つぎに、ステップＳ５０２において再生された楽曲の再生が終了するか否かを判断して（ステップＳ５０３）、再生が終了しないと判断された場合（ステップＳ５０３：Ｎｏ）、各種センサ４１５による情報から車両のパーキングブレーキ３０７がＯＮか否かを判断する（ステップＳ５０４）。
【００５２】
ステップＳ５０４において車両のパーキングブレーキ３０７がＯＮと判断された場合（ステップＳ５０４：Ｙｅｓ）、ステップＳ５０１において取得された初期値から、操舵角が変化したか否かを判断する（ステップＳ５０５）。ステップＳ５０５において操舵角が変化したと判断された場合（ステップＳ５０５：Ｙｅｓ）、ステアリングハンドル３０１の操作状態を検出する（ステップＳ５０６）。
【００５３】
つぎに、ステップＳ５０６において検出されたステアリングハンドル３０１の操作状態に応じて、磁気ディスク４０５および光ディスク４０７に記録される複数のスクラッチ音パターンの中から対応するスクラッチ音パターンを選択する（ステップＳ５０７）。さらに、ステップＳ５０２において再生された楽曲を一時停止して（ステップＳ５０８）、ステップＳ５０７において選択されたスクラッチ音パターンを再生する（ステップＳ５０９）。ここで、スクラッチ音パターンの再生は、ステップＳ５０７において選択されたスクラッチ音パターンにしたがって、ステップＳ５０２において再生された楽曲を加工した音源を再生してもよい。そして、スクラッチ音パターンが終了するまで待って（ステップＳ５１０：Ｎｏのループ）、スクラッチ音パターンが終了した場合（ステップＳ５１０：Ｙｅｓ）、ステップＳ５０２に戻り、以降の処理を繰り返しおこなう。
【００５４】
また、ステップＳ５０４においてパーキングブレーキ３０７がＯＦＦであると判断された場合（ステップＳ５０４：Ｎｏ）またはステップＳ５０５において操舵角が変化していないと判断された場合（ステップＳ５０５：Ｎｏ）、ステップＳ５０２に戻り、以降の処理を繰り返しおこなう。
【００５５】
一方、ステップＳ５０３において再生が終了すると判断された場合（ステップＳ５０３：Ｙｅｓ）、楽曲の再生を停止する（ステップＳ５１１）。そして、操舵角が初期値か否かを判断して（ステップＳ５１２）、操舵角が初期値ではない場合（ステップＳ５１２：Ｎｏ）、利用者に報知して（ステップＳ５１３）、一連の処理を終了する。また、ステップＳ５１２において操舵角が初期値であると判断された場合（ステップＳ５１２：Ｙｅｓ）、そのまま一連の処理を終了する。
【００５６】
なお、図４のフローチャートにおいては、ステップＳ５０３において、楽曲の再生が終了するか否かの判断は、具体的には、たとえば、利用者によって再生停止の操作がおこなわれたか否かを判断する。また、楽曲の再生リストが終了したか否かを判断してもよい。ここで、楽曲リストは、楽曲再生装置３００において続けて再生をおこなう楽曲のリストであり、利用者によって編集可能でもよいし、たとえば、ＣＤ−Ｒやカセットテープに記録されたすべての楽曲でもよい。
【００５７】
また、図５のフローチャートにおいては、ステップＳ５０７においてスクラッチ音パターンを選択するとしているが、これに限るものではない。具体的には、たとえば、ステップＳ５０６において測定された時間毎の変化量に応じて、楽曲の再生速度を変更するようにしてもよい。この場合、ステップＳ５０８〜ステップＳ５１０を省略して、操舵角の時間毎の変化量に変化がなくなった場合に、ステップＳ５０２に戻る構成としてもよい。
【００５８】
（ステアリングハンドルの操作状態）
つぎに、ステアリングハンドル３０１の操作状態について説明する。図６は、ステアリングハンドルの操作状態について説明した説明図である。図６においては、ステアリングハンドル３０１は、操舵する車両を直進させる向きを操舵角の初期位置Ｚ０とする。また、ステアリングハンドル３０１は、回転方向Ｄ１および回転方向Ｄ２の２方向に回転可能である。
【００５９】
このように、ステアリングハンドル３０１の操作状態とは、回転方向、回転角度、回転速度などを示している。そして、本実施例にかかる楽曲再生装置３００は、ステアリングハンドル３０１の操作状態に基づいて、楽曲の再生状態を制御する。まず、ステアリングハンドル３０１の回転方向に基づいて、楽曲の再生状態を制御する場合について説明する。たとえば、本実施例にかかる楽曲再生装置３００は、ステアリングハンドル３０１の回転方向に応じて、再生するスクラッチ音パターンを変更する。具体的には、たとえば、回転方向Ｄ１にステアリングハンドル３０１が回転した場合、スクラッチ音パターンＡを再生し、回転方向Ｄ２にステアリングハンドル３０１が回転した場合、スクラッチ音パターンＢを再生する。
【００６０】
また、ステアリングハンドル３０１の回転方向に応じて、再生速度の正負を変更してもよい。具体的には、たとえば、回転方向Ｄ１にステアリングハンドル３０１が回転した場合、再生している楽曲を早送りすることでスクラッチ音パターンを発生させ、回転方向Ｄ２にステアリングハンドル３０１が回転した場合、再生している楽曲を巻き戻すことでスクラッチ音パターンを発生させる。
【００６１】
つぎに、ステアリングハンドル３０１の回転角度に基づいて、楽曲の再生状態を制御する場合について説明する。たとえば、本実施例にかかる楽曲再生装置３００は、ステアリングハンドル３０１の回転角度に応じて、再生するスクラッチ音パターンを変更する。具体的には、たとえば、ステアリングハンドル３０１が初期位置Ｚ０から位置Ｚ１へ、回転角度θ１以上回転した場合、スクラッチ音パターンＣを再生し、初期位置Ｚ０から位置Ｚ２へ、回転角度θ２以上回転した場合、スクラッチ音パターンＤを再生してもよい。
【００６２】
また、ステアリングハンドル３０１の回転速度に基づいて、楽曲の再生状態を制御する場合について説明する。たとえば、本実施例にかかる楽曲再生装置３００は、ステアリングハンドル３０１の回転速度Ｖに応じて、再生するスクラッチ音パターンを変更する。具体的には、たとえば、回転速度Ｖが所定の速度Ｖ１になった場合、スクラッチ音パターンＥを再生し、回転速度Ｖがさらに早い所定の速度Ｖ２になった場合、スクラッチ音パターンＦを再生してもよい。また、たとえば、ステアリングハンドル３０１の回転速度Ｖに応じて、再生している楽曲の再生速度を変更してもよい。
【００６３】
なお、図６の説明においては、回転方向、回転角度、回転速度それぞれに基づいて、楽曲の再生状態を制御する処理について説明したが、これらを組み合わせることで、楽曲の再生状態を制御してもよい。したがって、これらを組み合わせることで再生されるスクラッチ音パターンの種類が増加し、より楽曲の再生において演出操作を楽しむことができる。
【００６４】
（ステアリングハンドルの回転量の設定処理）
つぎに、図７を用いてステアリングハンドル３０１の回転量の設定処理について説明する。図７は、ステアリングハンドルの回転量の設定処理について示した説明図である。図７においては、ステアリングハンドル３０１と、回転量設定目盛７００と、を示している。回転量設定目盛７００は、スクラッチ音パターンを再生するためのステアリングハンドル３０１の回転量のしきい値を設定するメモリである。回転量設定目盛７００は、楽曲再生装置３００に備えられていてもよいし、楽曲再生装置３００の搭載された車両に備えられていてもよい。
【００６５】
回転量設定目盛７００が目盛７０１に設定されている場合、たとえば、ステアリングハンドル３０１が初期位置Ｚ０から位置Ｚ３へ、回転角度θ３以上回転すると、スクラッチ音パターンが再生される。また、回転量設定目盛７００が目盛７０２に設定されている場合、たとえば、ステアリングハンドル３０１が初期位置Ｚ０から位置Ｚ４へ、回転角度θ４以上回転すると、スクラッチ音パターンが再生される。さらに、回転量設定目盛７００が目盛７０３に設定されている場合、たとえば、ステアリングハンドル３０１が初期位置Ｚ０から位置Ｚ５へ、回転角度θ５以上回転すると、スクラッチ音パターンが再生されることとする。ここで、回転角度の大きさは、回転角度θ３＜回転角度θ４＜回転角度θ５とする。このように、本実施例の楽曲再生装置３００においては、回転量設定目盛７００によって、スクラッチ音パターンを再生するために必要な回転角度を変更することができる。
【００６６】
なお、本実施例の楽曲再生装置３００においては、ステアリングハンドル３０１の操作状態に基づいて、楽曲の再生状態を制御するとしているが、これに限るものではない。具体的には、たとえば、アクセルペダル３０２やブレーキペダル３０３の操作状態、窓の開閉スイッチ３０４の操作状態、ドアの開閉装置３０５の操作状態など往復動作をおこなう操作装置の操作状態に基づいて、楽曲の再生状態を制御してもよい。
【００６７】
また、本実施例の楽曲再生装置３００においては、スクラッチ音パターンを再生するとしているが、これに限るものではない。具体的には、たとえば、効果音やサンプリング音源を再生してもよい。
【００６８】
上述したように、本実施例にかかる楽曲再生装置３００は、停止判断部１０２によって移動体が停止中であると判断された場合、検出部１０３によって操作装置１１０による操作状態を検出し、検出された操作装置１１０による操作状態に基づいて、再生制御部１０６によってコンテンツの再生状態を制御する。したがって、移動体が停止中の場合は、移動体の各部の移動状態を制御する操作装置１１０によって、楽曲の再生状態が制御される。これによって、利用者は、専用の操作子を持ち運ぶ手間がなくなり、また、専用の操作子を設置するスペースを必要とせずに、車両内の各部を制御する操作装置１１０によって、楽曲の演出操作を楽しむことができる。
【００６９】
また、本実施例にかかる楽曲再生装置３００は、操作状態判断部１０４によって操作装置１１０による操作状態が所定の状態であると判断された場合、再生制御部１０６によってコンテンツの再生状態を制御する。したがって、操作装置１１０による操作状態が所定の状態になるまで、楽曲の再生状態を制御しないことができる。これによって、利用者は、誤って操作装置１１０を動かした場合、楽曲の演出操作をおこなわせないため、快適に楽曲の再生を楽しむことができる。
【００７０】
また、本実施例にかかる楽曲再生装置３００は、検出部１０３によって検出された操作装置１１０による操作方向に基づいて、再生制御部１０６によってコンテンツの再生状態を制御する。したがって、操作装置１１０による操作方向に基づいて、コンテンツの再生状態に異なる制御をおこなうことができる。これによって、利用者は、変化に富んだ楽曲の演出操作を楽しむことができる。
【００７１】
また、本実施例にかかる楽曲再生装置３００は、検出部１０３によって検出された操作装置１１０による操作状態の時間毎の変化量に基づいて、再生制御部１０６によってコンテンツの再生状態を制御する。したがって、操作装置１１０による操作状態の時間毎の変化量に基づいて、コンテンツの再生状態に異なる制御をおこなうことができる。これによって、利用者は、変化に富んだ楽曲の演出操作を楽しむことができる。
【００７２】
また、本実施例にかかる楽曲再生装置３００は、検出部１０３によって検出された操作装置１１０の操作状態の時間毎の変化量に応じて、再生制御部１０６によってコンテンツの再生速度を制御する。したがって、操作装置１１０の操作状態の時間毎の変化量に応じて、コンテンツのピッチとテンポとを変更することができる。これによって、利用者は、変化に富んだ楽曲の演出操作を楽しむことができる。
【００７３】
また、本実施例にかかる楽曲再生装置３００は、選択部１０５によって複数のスクラッチ音パターンの中から一のスクラッチ音パターンが選択された場合、再生制御部１０６によって一のスクラッチ音パターンを再生する。したがって、複数種類のスクラッチ音パターンの中から、操作装置１１０の操作状態に応じたスクラッチ音パターンを再生することができる。これによって、利用者は、変化に富んだ楽曲の演出操作を楽しむことができる。
【００７４】
また、本実施例にかかる楽曲再生装置３００は、停止判断部１０２によってパーキングブレーキ３０７が使用中と判断された場合、検出部１０３によって操作装置１１０による操作状態を検出する。したがって、確実に移動体が停止し、移動体の各部の移動状態を制御する操作装置１１０が、移動体の移動動作に影響を与えない場合のみ、コンテンツの再生状態を制御することができる。これによって、利用者は、楽曲の演出操作をおこなおうとして、誤って移動体を移動させることを防ぎ、安全性を確保することができる。
【００７５】
また、本実施例にかかる楽曲再生装置３００は、検出部１０３によって検出されたステアリングハンドル３０１の回転状態に基づいて、再生制御部１０６によってコンテンツの再生状態を制御する。これによって、利用者は、専用の回転操作子を用いずに、ターンテーブルに類似した操作で楽曲の演出操作をおこなうことができる。
【００７６】
以上説明したように、本発明の再生制御装置、再生制御方法、再生制御プログラムおよび記録媒体によれば、楽曲再生装置３００においてパーキングブレーキ３０７が使用中の場合、通常、車両の走行状態を制御するステアリングハンドル３０１の回転状態を検出することで、楽曲の再生状態を制御することができる。これによって、利用者は、専用の操作子を用いずに、ステアリングハンドル３０１などの車両に備えられた装置によって、楽曲の演出操作を安全性を確保しながら楽しむことができる。
【００７７】
なお、本実施の形態で説明した再生制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００７８】
【図１】本実施の形態にかかる再生制御装置の機能的構成を示すブロック図である。
【図２】本実施の形態にかかる再生制御装置の再生制御処理手順を示すフローチャートである。
【図３】車両の各部の移動状態を制御する操作装置について示す説明図である。
【図４】本実施例にかかる楽曲再生装置のハードウェア構成を示すブロック図である。
【図５】本実施例にかかる楽曲再生装置の処理の内容を示すフローチャートである。
【図６】ステアリングハンドルの操作状態について説明した説明図である。
【図７】ステアリングハンドルの回転量の設定処理について示した説明図である。
【符号の説明】
【００７９】
１００  再生制御装置
１０１  再生部
１０２  停止判断部
１０３  検出部
１０４  操作状態判断部
１０５  選択部
１０６  再生制御部
１１０  操作装置
【図１】
2008230429.tif 000003
【図２】
2008230429.tif 000004
【図３】
2008230429.tif 000005
【図４】
2008230429.tif 000006
【図５】
2008230429.tif 000007
【図６】
2008230429.tif 000008
【図７】
2008230429.tif 000009